(57)【要約】      （修正有）【課題】独特の美感を簡単かつ確実に創出することができる絵画を提供する。【解決手段】基材１に描かれている線画２に絵具３が塗布されることにより彩色が施される絵画１０であって、基材１は、表面に線画２を構成する線２１に沿って溝部４が形成されている。また、基材１の表面に絵具３が塗布されることにより、溝部４に絵具３が流入して厚く定着しているとともに、溝部４の両側４１に絵具３が薄く定着していることを特徴とする。【選択図】図１
0003194242.tif 000002
【実用新案登録請求の範囲】
【請求項１】
基材に描かれている線画に絵具が塗布されることにより着色が施される絵画であって、
前記基材は、表面に前記線画を構成する線に沿って溝部が形成され、
前記基材の表面に前記絵具が塗布される際に、前記溝部に前記絵具が流入して厚く定着するとともに、前記溝部の両側に前記絵具が薄く定着することを特徴とする絵画。
【請求項２】
前記溝部は、幅が０．１ｍｍ〜０．５ｍｍである請求項１記載の絵画。
【請求項３】
前記溝部は、深さが０．１ｍｍ〜０．２ｍｍである請求項１または請求項２に記載の絵画。
【請求項４】
前記溝部は、トムソン型加工により形成されている請求項１から請求項３のいずれかに記載の絵画。
【請求項５】
請求項１から請求項４のいずれかに記載の絵画に用いられる基材であって、
表面に線画が描かれるとともに、該線画を構成する線に沿って溝部が形成されていることを特徴とする基材。
【考案の詳細な説明】
【技術分野】
【０００１】
本考案は、基材に描かれている線画に絵具により着色が施される絵画と、該絵画に用いられる基材に関するものである。
【背景技術】
【０００２】
従来、絵画において、次に列挙するようにさまざまな技法が知られている。アサンブラージュ、アラプリマ、インパスト、ウェット・イン・ウェット、エンコウスティック、片ぼかし、カマイユ、キアロスクーロ、グラシ、グラデーション、グリザイユ、スカンブリング、スクラッチ、スパタリング、スフマート、墨流し、点描、テンペラ、ドライウォッシュ、ドライブラシ、トロワ・クレヨン、はじき画法、ふき取り、ブルーム、フレスコ、ブレンディング、フロッタージュ、フロッティ、ぼかし、マスキング、没骨、モザイクといった技法である。
【０００３】
また従来から、特許文献１から特許文献５に開示されるような絵画や絵画の製造方法が知られている。
【０００４】
特許文献１に開示される絵画の製造方法は、厚紙、木板やポスターパネル等からなる基板（１）の上面に基絵（２）を着脱自在に粘着させ、基絵（２）の絵柄（３）の輪郭線（４）に沿って溝（５）を彫り込む第一工程と、基絵（２）から絵柄（３）を剥がし、該絵柄の後に和紙素材（６）を貼り付けその後、絵柄（３）の輪郭線（４）の外側片（７）を残して外側を切除する第二工程と、絵柄（３）の外側片（７）を溝（５）に差し込み、基板（１）の表面に絵柄模様（８）を立体部分に形成する第三工程からなる立体貼り絵の製造方法である。
【０００５】
特許文献２に開示される絵画の製造方法は、プレート１に凹部２または溝で絵等を表示した型３の、凹部２または溝に、粒子の大きさの異なる毎に色彩を異にする色彩砂で埋め、シートまたはプレートの片面の全面または部分に接着材層を設け、その接着材層を型３の凹部２または溝に対向させて型に重ねて押圧し、シートまたはプレートに型３の凹部２または溝の色彩砂を接着させ、シートまたはプレートを型３より剥がすことにより、シートまたはプレートに絵等を写し色彩砂により絵等を表示する方法である。
【０００６】
特許文献３に開示される絵画の製造方法は、塗り絵３の輪郭線を構成するフレーム４形成用の雌型２、２Ａを凹設した成形型Ａ、Ａ′を用いたプラスチック製塗り絵状品の製造方法であって、前記成形型Ａ、Ａ′の雌型２、２Ａ内へゾル状のプラスチック製の着色材６、１４を充填し、硬化させた後、着色材６、１４を雌型２、２Ａ内から剥離させることで塗り絵３の輪郭線を構成するフレーム４を形成する工程と、該フレーム４内側にゾル状のプラスチック製の着色材９、１6を充填させた後、硬化させることで、フレーム４に一体的に接合した着色部１１…を形成する工程を備えていることを特徴とする。
【０００７】
特許文献４に開示される絵画の製造方法は、一枚の紙片１を刻み目４を入れた後、所定形状に折曲して凹凸表面を形成し、該折曲げ紙片に対し所定方向から光１０を照射し、立体効果を有する装飾体の製作方法である。
【０００８】
特許文献５に開示される絵画は、ぬり絵としての線画を、立体的線画としたことを特徴とする。
【先行技術文献】
【特許文献】
【０００９】
【特許文献１】特開２０１０−１４３２１６号公報
【特許文献２】特開２００４−１０６２５０号公報
【特許文献３】特開２０００−２６３５６６号公報
【特許文献４】特開平８−１７５１００号公報
【特許文献５】特開平４−３３６５８９号公報
【考案の概要】
【考案が解決しようとする課題】
【００１０】
しかしながら、上述した技法や技術によってもなお、画家は絵画において意図した美感を簡単かつ確実に創出することができるとは言い難かった。したがって、上述した技法や技術の他にも独特の美感を簡単かつ確実に創出することができる技法があれば、画家はもとより、一般の者の創作の幅が広がることになるため、独特の美感を簡単かつ確実に創出することができる新たな技法が切望されていた。
【００１１】
本考案は、技術的背景に鑑みてなされたものであり、独特の美感を簡単かつ確実に創出することができる技法により創作された絵画を提供することを目的とする。
【課題を解決するための手段】
【００１２】
本考案は、上記目的を達成するために、基材に描かれている線画に絵具が塗布されることにより着色が施される絵画であって、前記基材は、表面に前記線画を構成する線に沿って溝部が形成され、前記基材の表面に前記絵具が塗布される際に、前記溝部に前記絵具が流入して厚く定着するとともに、前記溝部の両側に前記絵具が薄く定着することを特徴とする。
【００１３】
これによれば、前記溝部に前記絵具が流入して厚く定着することにより前記溝部に濃い着色が施されるとともに、前記溝部の両側に前記絵具が薄く定着することにより前記溝部の両側に薄い着色が施されるため、溝部および溝部の両側において独特の美感を簡単かつ確実に創出することができる。
【００１４】
また、前記溝部は、幅が０．１ｍｍ〜０．５ｍｍとされているのが好ましい。これによれば、溝部に絵具により着色が施されて生じる線を適度な幅にすることができる。
【００１５】
また、前記溝部は、深さが０．１ｍｍ〜０．２ｍｍとされているのが好ましい。これによれば、溝部に絵具により着色が施されて生じる線を適度な濃さにすることができる。
【００１６】
また、前記溝部は、トムソン型加工により形成されているのが好ましい。これによれば、トムソン型加工により同一の溝部が形成された絵画を量産することができ、ひいては絵画の単価を低減させることが可能となる。
【００１７】
また、本考案に係る基材は、上記絵画に用いられる基材であって、表面に線画が描かれるとともに、該線画を構成する線に沿って溝部が形成されていることを特徴とする。
【００１８】
これによれば、線画に絵具により着色が施される際に、前記溝部に前記絵具が流入して厚く定着することにより前記溝部に濃い着色が施されるとともに、前記溝部の両側に前記絵具が薄く定着することにより前記溝部の両側に薄い着色が施されるため、溝部および溝部の両側において独特の美感を簡単かつ確実に創出することができる。
【考案の効果】
【００１９】
本考案によれば、溝部に絵具が流入して厚く定着することにより溝部に濃い着色が施されるとともに、溝部の両側に絵具が薄く定着することにより溝部の両側に薄い着色が施されるため、溝部および溝部の両側において独特の美感を簡単かつ確実に創出することができる。
【図面の簡単な説明】
【００２０】
【図１】本考案に係る絵画の平面図である。
【図２】図１の絵画の拡大断面図である。
【図３】図１の絵画についての（ａ）絵具が塗布された直後の状態を示す拡大断面図、（ｂ）絵具が乾燥した後の状態を示す拡大断面図である。
【図４】図２に係る（ａ）第１の変形例（ｂ）第２の変形例である。
【図５】本考案に係る絵画の一例である。
【図６】本考案に係る絵画の他の一例である。
【考案を実施するための形態】
【００２１】
次に、本考案に係る絵画の一の実施形態について図１〜図３を参照しつつ説明する。  絵画１０は、基材１の表面に描かれている線画２に絵具３が塗布されることにより着色が施されている絵画である。
【００２２】
基材１は、紙製の板状基材である。この基材１は、例えば、マーメイドやエクセルなどの水彩紙のように、絵具３により着色が施され得る基材である。
【００２３】
基材１に描かれている線画２は、図１に示すように、描画する物の形や姿の輪郭を線２１により表したものであり、本実施例では、草花を表している。この線画２を構成する線２１は、花の輪郭、太い茎の部分において太線２１ａとされ、細い茎、葉、花脈（花びらの葉脈）の部分において細線２１ｂとされている。
【００２４】
基材１の表面には、線画２を構成する線２１に沿って溝部４が形成されている。この溝部４は、断面Ｖ字型に形成されており、図２（ａ）に示すように、太線２１ａに沿って形成された溝部４ａは、幅がＷ１、深さがＤ１の相対的に幅広で深い形状に形成され、図２（ｂ）に示すように、細線２１ｂに沿って形成された溝部４ｂは、幅がＷ２（＜Ｗ１）、深さがＤ２（＜Ｄ１）の相対的に幅狭で浅い形状に形成されている。
【００２５】
絵具３は、水に溶解されて基材１の表面の塗布される水彩絵具である。この絵具３は、基材１の表面の塗布されると、基材１の表面に定着し、基材１の表面から内側に浸透した後、自然乾燥する。これにより、絵具３により基材１の表面に着色が施される。
【００２６】
而して、基材１に描かれている線画２に絵具３が塗布されると、図３（ａ）に示すように、線２１に沿って形成された溝部４に流入して溜まり溝部４において厚く定着するとともに、溝部４の両側４１において薄く定着する。そして、絵具３は自然乾燥し、図３（ｂ）に示すように、溝部４において厚みの大きい着色部３１を形成し、溝部４の両側４１において厚みの小さい着色部３２を形成する。このため、絵画１０を見る者は、溝部４における厚みの大きい着色部３１を絵画１０の表面側から視認することにより溝部４に相対的に濃い着色が施されていると感じるともに、溝部４の両側４１における厚みの小さい着色部３２を絵画１０の表面側から視認することにより溝部４の両側４１に相対的に薄い着色が施されていると感じる。なお、上記「厚く」とは、１０μｍ〜１５０μｍ、「薄く」とは、１μｍ〜５μｍをいう。
【００２７】
さらに、幅広で深い形状の溝部４ａに、多量の絵具３が流入して厚く定着することにより濃く太い着色が施される一方、幅狭で浅い形状の溝部４ｂに、少量の絵具３が流入して厚く定着することにより溝部４ａに比べて濃く細い着色が施される。これによれば、溝部４の幅・深さを各部分で適宜選択することにより、濃い着色が施される溝部４の中でも太い着色が施される溝部４ａと、細い着色が施される溝部４ｂを設けることができる。このとき溝部４の幅は０．１ｍｍ〜０．５ｍｍとされるのが好ましく、この場合、溝部４が絵具３により着色されて生じる線を適度な幅にすることができる。また、溝４の深さは０．１ｍｍ〜０．２ｍｍとされるが好ましく、この場合、溝部４が絵具３により着色されて生じる線を適度な濃さにすることができる。
【００２８】
以上によれば、基材１の表面に絵具３が塗布される際に、溝部４に絵具３が流入して厚く定着することにより溝部４に相対的に濃い着色が施されるとともに、溝部４の両側４１に絵具３が薄く定着することにより溝部４の両側４１に相対的に薄い着色が施されるため、溝部４および溝部４の両側４１において独特の美感を簡単かつ確実に創出することができる。
【００２９】
次に、絵画１０の作成方法について説明する。
【００３０】
まず、基材１の表面に線画２を印刷機で印刷したり、あるい画家が描く。そして、樹脂からなるベース板に線画２と鏡面対称な溝をレーザーを照射して形成する。そして、鋼鉄製のトムソン刃をこの溝と同じ形状に曲げて溝に嵌め込むことにより、ベース板にトムソン刃を埋め込む。このとき刃先をベース板の表面からわずかに突出させる。
【００３１】
次に、トムソン刃を埋め込んだベース板の上に、表面を下にした基材１と押圧板を、この順に積層し積層体を構成する。そして、この積層体をプレス機のテーブルに載置し、プレス機の押圧部とテーブルにより挟圧する。これにより、ベース板のトムソン刃が基材１の表面のみを切り込むことにより、基材１の表面に線画２に沿った溝部４を形成する。
【００３２】
次に、プレス機による挟圧を解除し、積層体をプレス機から取り出す。そして、積層体の押圧板を静かに持ち上げて取り外した後、基材１をベース板から静かに剥がす。
【００３３】
最後に、基材１の線画２に絵具３を塗布することにより着色を施す。
【００３４】
以上により絵画１０を作成することができる。これによれば、基材１の表面に線画２を印刷し、または描いたあと、線画２を構成する線２１に沿った溝部４をトムソン型加工により形成し、線画２に絵具３を塗布して着色を施すことにより、同一の絵画１０を量産することができるため、絵画１０の単価を低減させることが可能となる。
【００３５】
なお、上記実施形態では、絵具３は、水彩絵具としたが、水彩アクリル絵具、カラーインク、あるいは墨などであってもよい。
【００３６】
また、溝部４は、断面Ｖ字状に設けられているとしたが、例えば、図４（ａ）に示すような断面コ字状や、図４（ｂ）に示すような断面Ｕ字状に設けられてもよい。
【００３７】
また、溝部４は、トムソン型加工により形成されるとしたが、人の使用するカッターナイフあるいは針などのとがった刃先により基材１の表面が切り込まれることにより形成されてもよい。
【００３８】
また、溝部４は、図２、図３、図４において線２１に重なって設けられているが、線２１の右側または左側に設けられていてもよい。
【００３９】
また、上述の絵画１０の一例として、例えば図５、図６に示す絵画が挙げられる。
【００４０】
以上、図面を参照して本考案の実施形態を説明したが、本考案は、図示した実施形態のものに限定されない。図示された実施形態に対して、本考案と同一の範囲内において、あるいは均等の範囲内において、種々の修正や変形を加えることが可能である。
【符号の説明】
【００４１】
１０…絵画
１…基材
２…線画
２１…線
３…絵具
３１、３２…着色部
４…溝部
４１…溝部の両側
【図１】
0003194242.tif 000003
【図２】
0003194242.tif 000004
【図３】
0003194242.tif 000005
【図４】
0003194242.tif 000006
【図５】
0003194242.tif 000007
【図６】
0003194242.tif 000008
【手続補正書】
【提出日】平成26年9月10日(2014.9.10)
【手続補正１】
【補正対象書類名】実用新案登録請求の範囲
【補正対象項目名】全文
【補正方法】変更
【補正の内容】
【実用新案登録請求の範囲】
【請求項１】
基材に描かれている線画に絵具が塗布されることにより着色が施される絵画であって、
前記基材は、表面に前記線画を構成する線に沿って溝部が形成され、
前記基材の表面に前記絵具が塗布されることにより、前記溝部に前記絵具が流入して厚く定着しているとともに、前記溝部の両側に前記絵具が薄く定着していることを特徴とする絵画。
【請求項２】
前記溝部は、幅が０．１ｍｍ〜０．５ｍｍである請求項１記載の絵画。
【請求項３】
前記溝部は、深さが０．１ｍｍ〜０．２ｍｍである請求項１または請求項２に記載の絵画。
【請求項４】
前記溝部は、トムソン型加工により形成されている請求項１から請求項３のいずれかに記載の絵画。
【請求項５】
請求項１から請求項４のいずれかに記載の絵画に用いられる基材であって、
表面に線画が描かれるとともに、該線画を構成する線に沿って溝部が形成されていることを特徴とする基材。
【手続補正２】
【補正対象書類名】明細書
【補正対象項目名】００１２
【補正方法】変更
【補正の内容】
【００１２】
本考案は、上記目的を達成するために、基材に描かれている線画に絵具が塗布されることにより着色が施される絵画であって、前記基材は、表面に前記線画を構成する線に沿って溝部が形成されることにより、前記基材の表面に前記絵具が塗布される際に、前記溝部に前記絵具が流入して厚く定着しているとともに、前記溝部の両側に前記絵具が薄く定着していることを特徴とする。